(57)【特許請求の範囲】
【請求項１】
着用者の被防護部を防護する防弾・耐刃防護用防護体であって、
ほぼマトリックス状にわずかな間隔をおいて配設される多数枚の防護板と、
これらの防護板を配列状態のまま保持する第１の包持体と、
複数の脚を一体に有し前記防護板間の各隙間を覆うように隣接する防護板に跨って配列されるとともに、互いに隣接する脚どおしを部分的に重ね合わせて配設される多数枚の副防護板と、
これらの副防護板を配列状態のまま保持する第２の包持体とを備え、
これら第１、第２の包持体を重ね合わせて一部を接続することにより構成したことを特徴とする防弾・耐刃防護用防護体。
【請求項２】
請求項１に記載の防弾・耐刃防護用防護体において、
前記防護板をほぼ正方形状を呈する板材により形成するとともに、
前記副防護板を四本の脚を有するほぼ十文字形状を呈する板材で形成したことを特徴とする防弾・耐刃防護用防護体。
【請求項３】
請求項１に記載の防弾・耐刃防護用防護体において、
前記防護板をほぼ三角形状を呈する板材により形成するとともに、
前記副防護板を六本の脚または八本と四本の脚を有する形状を呈する板材で形成したことを特徴とする防弾・耐刃防護用防護体。
【請求項４】
請求項１に記載の防弾・耐刃防護用防護体において、
前記防護板をほぼ六角形状を呈する板材により形成するとともに、
前記副防護板を三本の脚を有する形状を呈する板材で形成したことを特徴とする防弾・耐刃防護用防護体。
【発明の詳細な説明】
【０００１】
【発明の属する技術分野】
本発明は、警察官、その他これに類する職業の人等が着用する防弾・耐刃防護衣に着脱可能に装着することによって用いられる防弾・耐刃防護用防護体に関する。
【０００２】
【従来の技術】
この種の防弾・耐刃防護用防護体は、着用者の被防護部、たとえば胸部などの上半身をアイスピックのような尖鋭な用具や刃物または拳銃の弾による殺傷等から保護するために用いられる。このような防護体としては従来から種々の構造のものが知られており、一般には着用者の着衣に設けた装着部に装着したり、あるいはひも、ベルトなどを用いて着用者の被防護部に直接巻付けることにより使用される。この種の防護体として最も単純なものとしては、一枚の平板状の金属板材からなる防護板によるものがあり、これを防弾・耐刃防護衣に設けた装着部としてのポケットに装着することにより用いられる。
【０００３】
しかし、このような平板状の金属板材からなる防護板では、板厚や剛性、さらに重量の面から問題となる。板厚が厚かったり、堅すぎたり、あるいは重量が重すぎると、着用者の動きを束縛し、拘束することになる。このため、警察官等のように犯人逮捕時のように激しい動きを要求される着用者にとっては使い難いものであった。
【０００４】
そこで、防護体として可撓性を得るために複数枚あるいは多数枚の金属板材からなる防護板を用いた分割タイプのものもあり、着衣の適宜の位置に設けたポケットに各防護板をそれぞれ装着するように構成したものも知られている。
また、上述した複数枚あるいは多数枚の金属板材を防護体として一体的に組あわせる一体構造の防護体を形成したものも考えられている。
【０００５】
【発明が解決しようとする課題】
しかし、上述したような分割された防護板からなる防護体では、防護板間に隙間を生じることが避けられず、この隙間からの尖鋭な用具や刃物の先端などの侵入を避けることができないため、耐刃防護にあたっての安全性の面から問題である。
【０００６】
このため、従来からこの種の防護体に対して種々の対策が講じられているが、いずれも一長一短があり、軽量で、しかも着用者の動きを束縛したり拘束したりすることがない柔軟性をもち、また尖鋭な用具や刃物から着用者が殺傷されたりすることを確実に防止することができる防護機能をも兼ね備えた防弾・耐刃防護用防護体の開発が望まれている。
【０００７】
たとえば金属板材を防護板とした防護体において、防護機能を高めるために鉄板等を用いると、板厚が厚くなり重量が増大するとともに、着用者にとっての動き難い。一方、金属板材の板厚を薄くすると、特に尖鋭な用具や刃物から着用者の身を守ことが難しく、その材料の選定も問題となる。
【０００８】
特に、金属板材を防護板として用いている防護体では、それ自体の重量を可能な限り軽量化することが必要不可欠な条件となっている。
【０００９】
また、上述した防護体を形成するうえで問題となることの一つに、きりやアイスピックなどのように先端が尖鋭な用具や刃物による殺傷から身を守れる構造とすることがある。すなわち、このような尖鋭な用具は、防護体の防護部分にわずかな隙間やきわめて小径な孔があいていると、その部分を通して差し込まれてしまうことがあり、防護安全性を確実に保つうえでは問題である。
【００１０】
しかし、単純な平板形状の防護板による防護体では、材料によっても異なるが、一般には柔軟性を増大させたり軽量化を図るうえで好ましくない。そして、板厚が薄いときには、上述した尖鋭な用具からの安全を確保するうえで問題となる。したがって、このような問題点に配慮し、防護体として軽量で柔軟性に富み、しかも確実に防護することができて安全性を確保できるような何らの対策を講じることが望まれている。
また、このような防護体には拳銃の弾に対する防弾防護機能をもつことも望まれており、このような点を考慮することも必要になっている。
【００１１】
本発明はこのような事情に鑑みなされたものであり、防護体としての性能に優れ、防護時の安全性を確保できるとともに、着用時における軽量化を確保し、また着用者の動きを束縛したり拘束したりすることがない防弾・耐刃防護用防護体を得ることを目的とする。
【００１２】
【課題を解決するための手段】
このような目的に応えるために本発明の請求項１に係る防弾・耐刃防護用防護体は、着用者の被防護部を防護するにあたって、ほぼマトリックス状にわずかな間隔をおいて配設される多数枚の防護板と、これらの防護板を配列状態のまま保持する第１の包持体と、複数の脚を一体に有し前記防護板間の各隙間を覆うように隣接する防護板に跨って配列されるとともに、互いに隣接する脚どおしを部分的に重ね合わせて配設される多数枚の副防護板と、これらの副防護板を配列状態のまま保持する第２の包持体とを備え、これら第１、第２の包持体を重ね合わせて一部を接続することにより構成したことを特徴とする。
【００１３】
また、本発明の請求項２に係る防弾・耐刃防護用防護体は、請求項１において、防護板をほぼ正方形状を呈する板材により形成するとともに、副防護板を四本の脚を有するほぼ十文字形状を呈する板材で形成したことを特徴とする。
【００１４】
また、本発明の請求項３に係る防弾・耐刃防護用防護体は、請求項１において、防護板をほぼ三角形状を呈する板材により形成するとともに、副防護板を六本の脚または八本と四本の脚を有する形状を呈する板材で形成したことを特徴とする。
【００１５】
また、本発明の請求項４に係る防弾・耐刃防護用防護体は、請求項１において、防護板をほぼ六角形状を呈する板材により形成するとともに、副防護板を三本の脚を有する形状を呈する板材で形成したことを特徴とする。
【００１６】
本発明によれば、第１の包持体に保持させて配列した防護板間の隙間の中心線に、第２の包持体に保持させた副防護板の中心線が重なるように配置することにより、防護体の表裏面間での隙間を防護板と副防護板との重なり合いによってなくすことができる。また、本発明によれば、第１、第２の包持体において少なくとも外縁部分を縫製することにより両者に保持した防護板と副防護板とを上述したように一体的に重ね合わせた状態とすることができる。
【００１７】
ここで、上述した防護板と副防護板は、たとえばチタンからなる薄板材によって形成するとよい。
また、第１、第２の包持体間において少なくとも数箇所を貼着すると、防護板、副防護板の各包持体への所要の保持状態を確保し、隙間のない防護板状部を形成することができる。
【００１８】
そして、本発明によれば、このような防護板状部が多数枚の防護板と多数枚の副防護板とから構成しているため、個々の部分の相対的な動きが可能となり、防護体の柔軟性を確保することができる。
【００１９】
【発明の実施の形態】
図１ないし図８は本発明に係る防弾・耐刃防護用防護体の一つの実施の形態を示す。これらの図において、符号１で示すものは本発明を特徴づける防弾・耐刃防護用防護体である。この防弾・耐刃防護用防護体１は、図２（ａ），（ｂ）および図３（ａ），（ｂ）に示すように、第１の包持体としての前布２と第２の包持体としての後布３とを備え、これらを重ね合わせた状態で外側縁部分を縫製等で接続することにより、一体的に構成される。
【００２０】
ここで、前記防弾・耐刃防護用防護体１は、図８に示すように、着用者が着用している着衣、たとえば丈夫な布によってベスト形状等になるように縫製される防弾・耐刃防護衣７において、着用者の胸部等を覆う部分に設けた装着部としてのポケット部８に着脱可能に装着される。着用者は、この防弾・耐刃防護衣７の外側に通常の服装を着用することになる。
勿論、上述した防弾・耐刃防護衣７としてはメッシュ材からなるものでもよい。また、着用者が直接着用することができるよう上述した防護体１にひも、ベルトを設けてもよい。
【００２１】
前記防弾・耐刃防護用防護体１は、図１、図５（ａ），（ｂ）、図６（ａ），（ｂ），（ｃ）および図７に示すように、ほぼ正方形状を呈する板材からなり、マトリックス状にわずかな間隔をおいて配設される多数枚の防護板１１と、複数の脚を一体に有し前記防護板１１間の各隙間１１ａを覆うように隣接する防護板１１間に跨って配列されるとともに、互いに隣接する脚どおしが部分的に重なり合うように配設される多数枚の副防護板となる十文字板２１とを備えている。
【００２２】
前記防護板１１は、図６（ａ），（ｂ），（ｃ）に示すように、正方形状を呈する板材と、一部を切り落とした板材１１Ａまたは１１Ｂによって構成される。これらの板材は防護体１の全体形状に応じて適宜用いられることはいうまでもない。
前記十文字板２１は、図７に示すように、前記防護板１１よりも若干大きめの高さと横幅を有する形状で形成され、その十文字状に延びた各脚の先端部分がそれぞれ隣接する十文字板の脚の先端と重ね合わせられることにより、相互に隙間がないように配列されるようになっている。
【００２３】
前記防護板１１は、図５（ａ）に示すような配列状態とされ、そのままの状態で前布２に貼付け、あるいは縫い込みなどで保持されている。この実施の形態では、図３（ａ）に示すように、前布２に裏布１３を付け、その間に挟み込むとともに、各配設位置で保持されるようにその間に縫い合わせ１２を設けている。
【００２４】
前記十文字板２１は、図５（ｂ）に示すように配列され、その配列状態のままで後布３に接着あるいは縫い込みにより保持されている。この実施の形態では、図３（ａ），（ｂ）に示すように、前布２側と同様に裏布２３を付け、その間に挟み込んで縫い合わせ２２により各配設位置で保持するように構成している。
ここで、図３（ａ）は十文字板２１の脚を含めた最大長さ位置で断面した断面図、図３（ｂ）は十文字板２１を脚部分で断面した断面図である。
【００２５】
そして、上述したように防護板１１を保持した第１の包持体２と前記十文字板２１を保持した第２の包持体３とを重ね合わせ、全体の外側縁部分に縫い込み４を形成することにより接続されて一体的に構成されている。
ここで、この重ね合わせは、図１、図４に示すように、第１の包持体２に保持させた防護板１１間の隙間１１ａの中心線に、第２の包持体３に保持させた十文字板２１の中心線が重なるように配置することにより行われる。
【００２６】
ここで、上述した防護板１１と副防護板としての十文字板２１とは、耐刃防護用として板厚が１ｍｍのチタンからなる薄板材によって形成されている。また、第１、第２の包持体としての前、後布２，３としては、アラミド繊維、ポリエステル繊維、炭素繊維等のように切断され難い材質によるものを用いるとよい。
しかし、これに限らず、材料や板厚を変えることにより防弾防護機能をもたせた防護体を構成することも考えられる。
【００２７】
また、前記防護板１１を保持した第１の包持体２と前記十文字板２１を保持した第２の包持体３とは、少なくとも外側縁部分に縫い込み４を形成することにより、一体的に重ね合わせて接続されている。これは、上述した防護板１１と十文字板２１とが単に重なり合っているだけであって相対的なずれを可能することにより、防護体１に可撓性と柔軟性とをもたせるためである。
【００２８】
ここで、上述した第１の包持体２の防護板１１の保持部分と前記第２の包持体３の副防護板である十文字板２１の保持部分とは、多少なりとも重量があるから、布２や３が必要以上にずれてしまうことがある。このため、相対的な位置関係を保った状態を維持できるように第１、第２の包持体２，３間における複数箇所をたとえば面ファスナや接着剤で貼着することにより一体的に重ね合わせるとよい。
【００２９】
このようにすれば、防弾・耐刃防護用防護体１において、防護板１１と十文字板２１とのずれ量を最小限にすることができるから、両者の重ね合わせ部分を狭くすることができ、しかも必要最小限の大きさで各板１１，２１を形成できるため、より一層の軽量化を図ることができる。
【００３０】
なお、本発明は上述した実施の形態で説明した構造には限定されず、防護体１の形状やこれを装着する防弾・耐刃防護衣７の形状や構造などを、適宜変形、変更し得ることはいうまでもない。たとえば防護板１１の形状や配列状態としても適宜の変形例が考えられる。副防護板２１における脚の形状や本数は、上述した防護板１１の形状と配列とによって適宜選択するとよい。
【００３１】
上述した実施の形態では、防護板１１として正方形状を呈する板材を、副防護板２１として十文字形状を呈する板材を用いた場合を説明したが、本発明はこれに限定されず、防護板１１として長方形状などのような矩形状を呈するものを適宜の配列で並べ、その間の隙間を覆うように副防護板２１を配列することもできる。
【００３２】
また、三角形状を呈する板材を防護板として用い、これらを相互に隣接させた状態で配列するとともに、それぞれの頂点の集合部分に六本の脚または八本と四本の脚を有する副防護板を配列する等の変形例も考えられる。たとえば防護板１１を正三角形状の板材で構成したときには、図１０に示すように副防護板２１の脚は六本となる。
【００３３】
一方、前記防護板１１を直角二等辺三角形状の板材で構成したときには、副防護板２１の脚は防護板１１の配列によって異なる。図１１に示すような配列の場合には副防護板２１は六本の脚を有するものとなる。これに対して図１２に示すような配列とすると、副防護板２１の脚は八本のものと四本のものとになる。
要するに、三角形状の防護板１１における頂角の角度や防護板１１の配列状態によって副防護板２１は脚の本数の異なるものとなる。
【００３４】
また、六角形状を呈する板材を防護板１１として用いて配列したときには、図１３に示すように、副防護板２１としては三本の脚を有するものになる。
また、防護板１１として形状の異なるものを適宜の配列で敷き詰めて並べ、それぞれの隙間を覆うことができる脚を有する副防護板２１を用いたものでもよい。
【００３５】
また、防弾・耐刃防護衣７としては、帯状のメッシュ材からなるものを体に巻き付けて面ファスナなどで適宜止めるタイプのものであってもよく、種々の形状、構造のものが考えられる。
【００３６】
また、防護体１の全体形状としても、着用者の体型に合わせて適宜形成することができるものであり、種々の変形例が考えられる。たとえば図９（ａ），（ｂ）に示すような形状とすると、防護できる範囲が大きくなる。また、防護板１１や十文字板２１としても、図６や図７に示す形状に限らず、これに類する形状で形成すればよい。
また、上述した実施の形態では、着用者の被防護部において特に胸部を防護する場合を述べたが、着用者の背中を防護する同様の形状をもつ防護体１を併用する等の変形例も考えられる。
【００３７】
また、上述した実施の形態では、従来から広く知られているメッシュ材からなる防弾・耐刃防護衣７に設けたポケット部８に着脱自在に装着される防護体１として、チタンからなる薄板材からなる防護板１１と十文字板２１とを形成した場合を説明したが、本発明はこれには限らない。これらの防護板１１，副防護板２１の材質としては鉄、アルミ合金、強化繊維入りプラスチック材、セラミック材などがある。また、これらの材料を層状の組合わせたものであってもよい。これらは用途などの必要性に応じて選択的に用いるとよい。
【００３８】
また、上述した実施の形態では、防護板１１を保持する前布２とその裏地１３との間に保持するとともに、後布３とその裏地２３との間に副防護板としての十文字板２１を保持し、これらの前、後布２，３を、たとえば外側縁部分を縫製することにより、防弾・耐刃防護用防護体１を形成した場合を説明したが、本発明はこれに限らない。
【００３９】
【実施例】
たとえば４８ｍｍ角で板厚が１ｍｍの板材からなる防護板１１を３６枚（そのうち４枚は図６から明らかなように一部を切欠き形成された形状をもつ）を縦６列横６行のマトリックス配列でわずかな隙間１１ａ（たとえば２ｍｍ）を隔てて配置する。また、十文字板２１は各十文字部分の幅が１６ｍｍで、中心部からの延設長さが２２ｍｍであって、全体の高さ、横幅が６０ｍｍのものを２５枚用いている。このような十文字板２１は、各十文字板２１の中心間隔が５０ｍｍであって、先端部の重ね合わせ部２１ａが１０ｍｍとなるようにしている。
【００４０】
このようにすると、従来１．５Ｋｇ以上あった耐刃防護用の防護体１の重量を５００〜６００ｇ程度にすることができ、軽量化を十分に図ることができた。
また、各板１１，２１を１ｍｍの板厚のチタン板材で形成することにより、千枚通しのようなものでも防護できることが確認されている。
ここで、上述した防護板１１や副防護板である十文字板２１の厚さを１ｍｍよりも厚く形成すれば、防弾防護用としての防護体１を形成することができる。
【００４１】
【発明の効果】
以上説明したように本発明に係る防弾・耐刃防護用防護体によれば、第１の包持体にほぼマトリックス状に配列した多数枚の防護板を保持させ、第２の包持体に前記防護板間の隙間に対応して配列した多数枚の副防護板を保持させることで構成しているから、構造が簡単であるにもかかわらず、防護体としての重量の大幅な軽量化を図り、また防護体が多数の板材によって分割された構造であるために柔軟性の面でも優れ、着用者にとっての着用感がよく、しかも動きやすいという優れた効果を奏する。
【００４２】
また、本発明によれば、多数枚の防護板と副防護板との組み合わせであるにもかかわらず、外部からの尖鋭な用具、刃物や拳銃の弾の侵入を防ぎ、着用者を殺傷事故から守ることができ、防護安全性の面で優れている。
前述した防護板や副防護板をチタンからなる薄板材によって形成すると、前述した軽量化、柔軟性とともにこの防護安全性の面をより一層高めることができる。
【図面の簡単な説明】
【図１】  本発明に係る防弾・耐刃防護用防護体の一つの実施の形態を示し、要部となるマトリックス配列された複数枚の防護板とその隙間を覆う複数枚の副防護板（十文字板）との組み合わせ配列状態を示す図である。
【図２】  図１の防護板、副防護板（十文字板）を用いた防弾・耐刃防護用防護体を説明する図であって、（ａ）は防護体の正面図、（ｂ）は防護体の背面図である。
【図３】  （ａ）は本発明に係る防弾・耐刃防護用防護体を第２の包持体である十文字板の脚を含めた最大長さ位置（図４のIIIａ−IIIａ線）で断面した拡大断面図、（ｂ）は十文字板を脚の部分（図４のIIIｂ−IIIｂ線）で断面した拡大断面図である。
【図４】  図１の防護板と副防護板（十文字板）との重なり合い状態を説明するための拡大図である。
【図５】  本発明に係る防弾・耐刃防護用防護体において、（ａ）は防護板の配列状態を説明するための図、（ｂ）は副防護板（十文字板）の配列状態を説明するための図である。
【図６】  本発明に係る防弾・耐刃防護用防護体に用いている防護板の形状を（ａ），（ｂ），（ｃ）に示す説明図である。
【図７】  本発明に係る防弾・耐刃防護用防護体に用いている副防護板（十文字板）の形状を説明するための図である。
【図８】  本発明に係る防弾・耐刃防護用防護体を着用した状態を説明するための説明図である。
【図９】  本発明に係る防弾・耐刃防護用防護体の別の実施の形態を示し、（ａ）は防護体の正面図、（ｂ）は防護体の背面図である。
【図１０】  本発明に係る防弾・耐刃防護用防護体の別の実施の形態を示し、防護板と副防護板との変形例を説明するための概要図である。
【図１１】  本発明に係る防弾・耐刃防護用防護体のさらに別の実施の形態を示し、防護板と副防護板との変形例を説明するための概要図である。
【図１２】  本発明に係る防弾・耐刃防護用防護体のまた別の実施の形態を示し、防護板と副防護板との変形例を説明するための概要図である。
【図１３】  本発明に係る防弾・耐刃防護用防護体のさらに別の実施の形態を示し、防護板と副防護板との変形例を説明するための概要図である。
【符号の説明】
１…防弾・耐刃防護用防護体、２…前布（第１の包持体）、３…後布（第２の包持体）、４…縫い込み、７…防弾・耐刃防護衣、８…ポケット部（装着部）、１１…防護板、１１ａ…隙間、１２…縫い合わせ、１３…裏布、２１…十文字板（副防護板）、２１ａ…重ね合わせ部、２２…縫い合わせ、２３…裏布。
【図１】
0004050412.tif 000002
【図２】
0004050412.tif 000003
【図３】
0004050412.tif 000004
【図４】
0004050412.tif 000005
【図５】
0004050412.tif 000006
【図６】
0004050412.tif 000007
【図７】
0004050412.tif 000008
【図８】
0004050412.tif 000009
【図９】
0004050412.tif 000010
【図１０】
0004050412.tif 000011
【図１１】
0004050412.tif 000012
【図１２】
0004050412.tif 000013
【図１３】
0004050412.tif 000014